(57)【特許請求の範囲】
【請求項１】
ハウジングと、該ハウジングに設けられたランセットを受け入れるためのランセット受け部と、該ランセットが該ランセット受け部に装着された際に、該ランセットを該ハウジングに形成した皮膚当接面から突出する位置と該皮膚当接面から没入した位置との間で駆動するランセット駆動機構と、試料の検査片を挿入する検査片受け部と、を備えた採血用穿刺器具であって、
該ランセットは、穿刺針、および該穿刺針の少なくとも先端部を包囲するランセット本体を有し、該ランセット本体は、該穿刺針の外側に配置される軸部と、該軸部の先端から両側へ延出された延出部とを有するＴ字形に形成され、該両延出部間に形成された連結部内に該穿刺針の先端が埋設され、該ランセットを該ランセット受け部内に装着した際に、該延出部が屈折して該穿刺針の先端が該連結部から露出するように、該ランセット受け部に該延出部を屈折するためのテーパー部が設けられている採血用穿刺器具。
【請求項２】
前記軸部が前記穿刺針の長手方向に長い複数の分割片から構成され、該穿刺針が移動する際に、該分割片が湾曲する請求項１に記載の採血用穿刺器具。
【請求項３】
前記ランセット本体の両延出部間に切欠部が形成され、前記連結部が該切欠部に配置されている請求項１又は２に記載の採血用穿刺器具。
【請求項４】
複数の前記ランセットがカートリッジ内に配設され、該カートリッジの端部は前記ハウジングの前記ランセット受け部に取り外し可能に装着され、該カートリッジの装着側の端部に前記テーパー部が設けられている請求項１〜３のいずれかに記載の採血用穿刺器具。
【請求項５】
さらに、前記検査片に受けた試料を分析する分析部、および該分析部による検査結果を表示し得る表示部を有する請求項１〜４のいずれかに記載の採血用穿刺器具。
【請求項６】
前記ランセット駆動機構が、前記ランセットの軸部に係合し得る押圧ロッドを有し、該押圧ロッドの押圧によって該ランセットが移動することにより、前記ハウジングに形成した前記皮膚当接面から前記穿刺針が突出するように構成されている請求項１〜５のいずれかに記載の採血用穿刺器具。
【請求項７】
ランセットを突出位置と引込位置との間で駆動するランセット駆動機構、試料の検査片を挿入する検査片受け部、該検査片に受けた試料を分析する分析部、および該分析部による検査結果を表示し得る表示部を有するハウジングを備えた採血用穿刺器具であって、
該ランセットは、穿刺針、および該穿刺針の少なくとも先端部を包囲するランセット本体を有し、
該ランセット本体は、軸部と該軸部の先端から両側へ延出された延出部とを有するＴ字形に形成され、該軸部内に該穿刺針が埋設されていると共に、該両延出部間に形成された連結部内に該穿刺針の先端が埋設されており、
該ハウジングには、該ランセットを受け入れるためのランセット受け部が設けられると共に、使用済みのランセットを外部へ排出する排出口が該ランセット受け部と連通して設けられ、
該ランセットが該ランセット受け部に装着された際に、該ランセットの該軸部が該ランセット駆動機構の押圧ロッドに係合され、
該ランセット受け部に該延出部を折り曲げるためのテーパー部が設けられ、
該採血用穿刺器具は、
該ランセットを該ランセット受け部内に装着した際に、該延出部が該テーパー部によって折れ曲がり、該穿刺針の先端が該連結部から露出し、
該押圧ロッドの押圧によって該ランセットが移動することにより、該ハウジングに形成した皮膚当接面から該穿刺針が突出するように構成されている、採血用穿刺器具。
【請求項８】
前記軸部が該穿刺針の長手方向に長い複数の分割片から構成され、該穿刺針が移動する際に、該分割片が湾曲する請求項７に記載の採血用穿刺器具。
【請求項９】
前記ランセット本体の両延出部間に切欠部が形成され、前記連結部が該切欠部に配置されている請求項７又は８に記載の採血用穿刺器具。
【請求項１０】
矩形状の基台と該基台に連結されたケースとを備え、複数のランセットが該基台に沿ってスライド可能に配設されているカートリッジであって、
該ランセットは、穿刺針、および該穿刺針の少なくとも先端部を包囲するランセット本体を有し、該ランセット本体は、該穿刺針の外側に配置される軸部と、該軸部の先端から両側へ延出された延出部とを有するＴ字形に形成され、該両延出部間に形成された連結部内に該穿刺針の先端が埋設され、
該カートリッジの端部に該ランセットが移動した際に、該延出部が折れ曲がり該穿刺針の先端が該連結部から露出するように、該延出部を折り曲げるためのテーパー部が設けられているカートリッジ。
【発明の詳細な説明】
【技術分野】
【０００１】
本発明は、血糖値を測定する場合などに使用する採血用穿刺器具に関し、特に、複数個のランセットを収容するカートリッジから一個ずつランセットを取り出して使用する採血用穿刺器具、およびその採血用穿刺器具に使用するカートリッジに関する。
【背景技術】
【０００２】
一般に、糖尿病患者は血糖濃度を一日に複数回測定し、血糖濃度を検査して管理する。血糖濃度を正確かつ規則正しく検査しない場合には、心臓血管病、腎臓病、神経損傷、および失明を含む重大な糖尿病関連合併症に陥ることがある。
【０００３】
近年では、患者自身が血液の血糖濃度を検査できるようにした採血用穿刺器具が市販されている。一般的な採血用穿刺器具は、例えば、特開２００５−５１６号公報（特許文献１）に記載されているように、ハウジングと、該ハウジング内に配設されたランセットを打ち出すためのランセット駆動機構と、該駆動機構を駆動させるためのボタンなどを備えている。
【０００４】
ランセットは、患者の指先等の皮膚に小さな孔を開ける（傷をつける）ための器具である。ランセットは、ハウジング内に装着され、針の先端部分を指先などに当て、ボタンを押すことにより、駆動機構によってランセットがハウジングから打ち出されて穿刺が行われる。ランセットにより開けられた孔から出た血液を検査片に接触させ、この検査片をハウジングの検査片受け部に挿入することにより、ハウジングの表示部に血糖値が表示される。
【０００５】
一度使用したランセットを再使用することは衛生面から非常に危険であるので、次の使用時にはランセットを交換する必要がある。
【０００６】
特開２００５−１６９００３号公報（特許文献２）には、複数の穿刺針が一列に配置された穿刺針カートリッジが提案されている。カートリッジから穿刺針を穿刺器具に装着するには、穿刺器具をカートリッジの１つの穿刺針に合致させて穿刺針をつかみ、その後、穿刺器具を後退させて穿刺針の１つをカートリッジから引き離すようにしている。
【０００７】
しかし、このような構成の穿刺器具では、使用済みの穿刺針を交換するときには、特別な取り出し部材を用いて穿刺針を穿刺器具から取り外している。すなわち、穿刺針の針先が突出しているので、指先で穿刺針を取り扱うことは危険である。そのため、穿刺針の取り出し部材を必要とするので操作性が悪い上に生産コストが高くなる。
【先行技術文献】
【特許文献】
【０００８】
【特許文献１】特開２００５−５１６号公報
【特許文献２】特開２００５−１６９００３号公報
【発明の概要】
【発明が解決しようとする課題】
【０００９】
本発明は上記課題を解決するためになされたもので、使用後のランセットを安全に廃棄できるようにすることで、構造が比較的簡単になり、また生産コストを低減することができる採血用穿刺器具を提供することを目的とする。
【００１０】
本発明の他の目的は、穿刺針を交換する際の操作性にも優れている採血用穿刺器具を提供することにある。
【００１１】
本発明のさらに他の目的は、上記採血用穿刺器具のためのカートリッジを提供することにある。
【課題を解決するための手段】
【００１２】
上記課題を解決するため、本発明は以下を特徴とする。
（項目１）ハウジングと、該ハウジングに設けられたランセットを受け入れるためのランセット受け部と、該ランセットが該ランセット受け部に装着された際に、ランセットをハウジングに形成した皮膚当接面から突出する位置と該皮膚当接面から没入した位置との間で駆動するランセット駆動機構と、試料の検査片を挿入する検査片受け部、を備えた採血用穿刺器具であって、
該ランセットは、穿刺針、および該穿刺針の少なくとも先端部を包囲するランセット本体を有し、該ランセット本体は、該穿刺針の外側に配置される軸部と、該軸部の先端から両側へ延出された延出部とを有するＴ字形に形成され、該両延出部間に形成された連結部内に該穿刺針の先端が埋設され、該ランセットを該受け部内に装着した際に、該延出部が屈折して該穿刺針の先端が該連結部から露出するように、該受け部に延出部を屈折するためのテーパー部が設けられている採血用穿刺器具。
（項目２）前記軸部が前記穿刺針の長手方向に長い複数の分割片から構成され、穿刺針が移動する際に、該分割片が湾曲する項目１に記載の採血用穿刺器具。
（項目３）前記ランセット本体の両延出部間に切欠部が形成され、前記連結部が該切欠部に配置されている項目１又は２に記載の採血用穿刺器具。
（項目４）複数のランセットがカートリッジ内に配設され、該カートリッジの端部は前記ハウジングの受け台に取り外し可能に装着され、該カートリッジの装着側の端部に前記テーパー部が設けられている項目１〜３のいずれかに記載の採血用穿刺器具。
（項目５）
さらに、前記検査片に受けた試料を分析する分析部、および該分析部による検査結果を表示し得る表示部を有する項目１〜４のいずれかに記載の採血用穿刺器具。
（項目６）前記ランセット駆動機構が、前記ランセットの軸部に係合し得る押圧ロッドを有し、該押圧ロッドの押圧によって該ランセットが移動することにより、ハウジングに形成した前記皮膚当接面から前記穿刺針が突出するように構成されている項目１〜５のいずれかに記載の採血用穿刺器具。
（項目７）ランセットを突出位置と引込位置との間で駆動するランセット駆動機構、試料の検査片を挿入する検査片受け部、該検査片に受けた試料を分析する分析部、および該分析部による検査結果を表示し得る表示部を有するハウジングを備えた採血用穿刺器具であって、
該ランセットは、穿刺針、および該穿刺針の少なくとも先端部を包囲するランセット本体を有し、
該ハウジングに該ランセットを受け入れるためのランセット受け部が設けられると共に、使用済みのランセットを外部へ排出する排出口が該受け部と連通して設けられ、
該ランセットが該ランセット受け部に装着された際に、該ランセットの該軸部が該ランセット駆動機構の押圧ロッドに係合され、
該押圧ロッドの押圧によって該ランセットが移動することにより、ハウジングに形成した皮膚当接面から該穿刺針が突出するように構成され、
該ランセット本体は、軸部と該軸部の先端から両側へ延出された延出部とを有するＴ字形に形成され、該軸部内に該穿刺針が埋設されていると共に、該両延出部間に形成された連結部内に穿刺針の先端が埋設されている採血用穿刺器具。
（項目８）前記受け部に延出部を折り曲げるためのテーパー部が設けられ、該ランセットを受け部内に装着した際に、延出部が該テーパー部によって折れ曲がり、該穿刺針の先端が前記連結部から露出する項目７に記載の採血用穿刺器具。
（項目９）前記軸部が該穿刺針の長手方向に長い複数の分割片から構成され、穿刺針が移動する際に、該分割片が湾曲する項目７又は８に記載の採血用穿刺器具。
（項目１０）前記ランセット本体の両延出部間に切欠部が形成され、前記連結部が該切欠部に配置されている項目７〜９のいずれかに記載の採血用穿刺器具。
（項目１１）矩形状の基台と該基台に連結されたケースとを備え、複数のランセットが該基台に沿ってスライド可能に配設されているカートリッジであって、
該ランセットは、穿刺針、および該穿刺針の少なくとも先端部を包囲するランセット本体を有し、該ランセット本体は、該穿刺針の外側に配置される軸部と、該軸部の先端から両側へ延出された延出部とを有するＴ字形に形成され、該両延出部間に形成された連結部内に該穿刺針の先端が埋設され、
該カートリッジの端部にランセットが移動した際に、該延出部が折れ曲がり該穿刺針の先端が該連結部から露出するように、延出部を折り曲げるためのテーパー部が設けられているカートリッジ。
【発明の効果】
【００１３】
本発明によれば、ランセットは、穿刺針、および穿刺針の少なくとも先端部を包囲するランセット本体を有し、該ランセット本体は、穿刺針の外側に配置される軸部と、該軸部の先端から両側へ延出された延出部とを有するＴ字形に形成され、該両延出部間に形成された連結部内に該穿刺針の先端が埋設され、該ランセットを受け部内に装着した際に、該延出部が折れ曲がり該穿刺針の先端が該連結部から露出するように、該受け部に延出部を折り曲げるためのテーパー部が設けられているので、血糖値を測定する場合には、ハウジングのランセット受け部にランセットを装着してランセット駆動機構を駆動させることで、穿刺針がハウジングの当接面から突出して皮膚を穿刺する。その際、穿刺針が露出するので、穿刺針に負荷をかけない状態で針を出すことができる。また、使用後には針先を延出部間に配置できるので、安全にランセットを廃棄することができる。
【００１４】
また、複数のランセットが収容されたカートリッジを使用すれば、カートリッジ内のランセットを移動させて１つのランセットを受け部内に装着するだけで、新しいランセットと容易に交換することができるので、ランセットに直接手を触れることなく穿刺ができ、安全である。
【００１５】
さらに、使用済みのランセットを外部へ排出する排出口が該受け部と連通して設けられることにより、新しいランセットを受け部内に装着するだけで、使用済みのランセットが排出口から外部へ排出される。したがって、従来のように、使用済のランセットを取り出し部材を用いて取り出す必要がなく、操作が非常に容易で、且つ安全であり、また穿刺器具の構成も簡略化される。
【図面の簡単な説明】
【００１６】
【図１】本発明の一実施形態の採血用穿刺器具の斜視図である。
【図２】図１に示す採血用穿刺器具の平面図である。
【図３】図１に示す採血用穿刺器具の左側面図である。
【図４】図１に示す採血用穿刺器具の右側面図である。
【図５】図１に示す採血用穿刺器具の平面図である。
【図６】カートリッジの斜視図である。
【図７】カートリッジの正面図である。
【図８】カートリッジの平面図である。
【図９】カートリッジの左側面図である。
【図１０】カートリッジの右側面図である。
【図１１】図８に示すＡ−Ａ線断面図である。
【図１２】図８に示すＢ−Ｂ線断面図である。
【図１３】図２に示すＣ−Ｃ線断面図である。
【図１４】図１に示す実施形態の採血用穿刺器具の作用説明図である。
【図１５】ランセットの斜視図である。
【図１６】図１５に示すランセットの作用説明図である。
【図１７】図１５に示すランセットの作用を示す断面図である。
【図１８】本発明の他の実施形態の採血用穿刺器具の斜視図である。
【図１９】図１８に示す採血用穿刺器具の平面図である。
【図２０】図１９に示すＤ−Ｄ線断面図である。
【図２１】本発明のさらに他の実施形態の採血用穿刺器具の斜視図である。
【図２２】図２１に示すランセットの斜視図である。
【図２３】図２１に示すランセットの一部切欠斜視図である。
【発明を実施するための形態】
【００１７】
以下、本発明の実施の形態について図面を参照しながら詳細に説明する。
【００１８】
図１〜図５に示すように、本発明の採血用穿刺器具Ａは、ランセット１８を突出位置と引込位置の間で駆動するランセット駆動機構６、血液などの試料受け領域を有する検査片８を挿入する検査片受け部９、該検査片８に受けた液体試料を分析する分析部（マイクロコンピュータ等の回路、図示せず）、および該分析部による検査結果を表示し得る表示部１０を備えたハウジング２を有している。
【００１９】
ハウジング２の先端部にキャップ１２が取り付けられ、このキャップ１２の側面にランセット１８を受け入れる略Ｔ字形の受け部１４が形成されている。このランセット１８の受け部１４は、穿刺する際にランセット１８のガイドともなる。また、このキャップ１２の先端面は使用者の皮膚に当接する皮膚当接面１５とされている。このキャップ１２の当接面１５には穿刺針１９が通過するための通孔１３が形成されている。上記ランセット１８の受け部１４と連通する排出口１９がキャップ１２の側面に形成されている。この排出口１９は受け部１４と対向する側にてキャップ１２の側面に設けられている。
【００２０】
ハウジング２の他端部に検査片８を挿入するための検査片受け部９が形成されている。
（ランセット駆動機構）
ハウジング２内に配設されたランセット駆動機構６は、図１３に示すように、ランセット１８を保持するためにハウジング２内に摺動可能に取り付けられた押圧ロッド１６、この押圧ロッド１６をキャップ１２側へ付勢する第１のばね（図示せず）、ランセット１８がキャップ１２の当接面１５から突出して皮膚を穿刺した後にランセット１８をハウジング２内へ引っ込める第２のばね（図示せず）を有する。穿刺時は、ボタン３５を操作することにより、ランセット駆動機構６が押圧ロッド１６を押し、この押圧ロッド１６がランセット１８に押圧力を伝達してランセット１８がハウジング２の先端部から突出する位置に移動し、その後ランセット１８がハウジング２内に埋入するように構成されている。
【００２１】
なお、ランセット駆動機構６は、ばねを利用した駆動の他に、電気的に駆動または電磁気的に駆動させることもできる。
【００２２】
ハウジング２の首部に調整ダイヤル３４が設けられている。この調整ダイヤル３４を調整することにより、穿刺針１９の突出量を調整することができる。
（ランセット）
図１５〜図１７に示すように、ランセット１８は、金属製の穿刺針１９、および該穿刺針１９の少なくとも先端部を完全に包囲する樹脂製のランセット本体２２を有する。該ランセット本体２２は、軸部２４と該軸部２４の先端から両側へ延出された延出部２０とを有する略Ｔ字形に形成されている。軸部２４内に該穿刺針１９のほぼ全体が埋設されて、該両延出部２０間に形成された連結部２６内に穿刺針１９の先端部分が埋設されている。軸部２４は穿刺針１９の長手方向に長い少なくとも２つの分割片２８、２８で形成することが好ましい。つまり、軸部２４の側面に長手方向に走るスリット２３が形成されている。
【００２３】
穿刺針１９は、軸部２４内にスライド可能に埋設されている。この穿刺針１９の先端部または全体に、ランセット本体に対する滑り性を良くするためにシリコンコーティングを施すのが好ましい。
【００２４】
ランセット本体２２は、その構成部品を１つの部材で構成されている。つまり、ランセット本体２２は一体成形されている。そして、穿刺針１９の先端に位置する樹脂は薄膜とされている。そのことにより、後述するようにランセット本体２２の一対の延出部２０、２０が容易に屈折し易くなる。
【００２５】
ランセット１８が押圧ロッド１６で押圧された場合には、図１６ｃおよび図１７ｃに示すように、該分割片２８がたわみ、ランセット本体２２に対して穿刺針１９がキャップ１２側へ移動する。ランセット１８の基部には係止部２１が形成されている。
【００２６】
ランセット本体２２の両延出部２０、２０間には切欠部２５が形成されている。該連結部２６がこの切欠部２５の位置に配置されている。
（カートリッジ）
図６〜図１２に示すように、カートリッジ３０は、矩形状の基台３１と該基台３１の下面に連結されたケース３７とを備えている。このカートリッジ３０内に複数のランセット１８がスライド可能に配設されている。基台３１には長手方向に走る長孔３８が形成され、この長孔３８内にレバー３９がスライド可能に配設され、レバー３９をカートリッジ３０の長手方向へ移動させることにより、ランセット１８をカートリッジ３０の長手方向へ移動させて、１個のランセット１８をキャップ１２の受け部１４内へ装着できるように構成されている。
【００２７】
該基台３１の端部側には、キャップ１２の受け部１４に取り付けるための連結部４１が形成されている。また基台３１の端部には穿刺針１９を通すための開口部３３が形成されている。該開口部３３に隣接する位置において基台３１の端部にはテーパー部としての傾斜部４６が形成されている。
【００２８】
該基台３１の連結部４１をキャップ１２の受け部１４に挿入して取り付けた後、該基台３１の長手方向に沿ってランセット１８を移動させることにより、１つのランセット１８がハウジング２の受け部１４に装着される。この際、カートリッジ３０の開口部３３は、キャップ１２の通孔１３の位置に合致し、ランセット１８の穿刺針１９は該開口部３３に臨むことになる。
【００２９】
使用済みの古いランセット１８は、新しいランセット１８を受け部１４内へ装着することにより、古いランセット１８は新しいランセット１８に押されて、受け部１４の他方側に形成された排出口１９から外部へ放出される。
【００３０】
また、使用済みのカートリッジ３０は、受け部１４から取外して廃棄することができる。
（作用）
以下、本発明の採血用穿刺器具Ａの穿刺動作について説明する。
【００３１】
まず、採血用穿刺器具Ａの先端部にある穿刺深さ調節調整ダイヤル３４を回して、ランセット１８の穿刺する深さを調整する。その後、採血用穿刺器具Ａの受け部１４内にカートリッジ３０の連結部４１を装着した後、レバー３９を移動させて、１つのランセット１８をキャップ１２の受け部１４内に装着する。
【００３２】
その際、カートリッジ３０の端部には、一対の延出部２０を屈折するためのテーパー部４０が設けられているので、このテーパー部４０の作用により、受け部１４内にランセット１８を挿入すると、延出部２０がテーパー部４０に押されて屈折し連結部２６が割れ、その結果連結部２６内から穿刺針１９の先端が露出する（図１３（a））。
【００３３】
また、ランセット１８をハウジング２の受け部１４に装着した際に、該ランセット１８の軸部２４に形成した係止部２１がランセット駆動機構６の押圧ロッド１６の先端に係合される。
【００３４】
このようにして、採血用穿刺器具Ａのランセット受け部１４内に１つのランセット１８を保持した状態で、ハウジング２の皮膚当接面１５を患者の皮膚の適当な部位、たとえば指先や耳たぶに押し当て、ボタン３５を押す。すると、ハウジング２の内部の押圧ロッド１６の先端がランセット１８の軸部２４の後端部を押し、図１３（ｂ）に示すように、押圧ロッド１６がランセット１８の穿刺針１９を前方（キャップ１２側）へ押し出す。
【００３５】
このとき、ランセット１８の穿刺針１９は、皮膚当接面１５から所定の長さだけ突出する（図１６ｃ、図１７ｃの状態）。ボタン３５の押圧を解除すると、押圧ロッド１６はバネの弾力によって元の位置まで復帰動し、穿刺針１９も皮膚当接面１５から没入する退避位置まで復帰する。
【００３６】
皮膚当接面１５からの穿刺針１９の突出により皮膚に適度な傷がつけられ、この傷から血液が出液する。この血液を検出片８に付着させ、この検査片８を検査片受け部９に挿入することで血液試料の自動分析が行われる。ハウジング２内には電子回路が配設され、電子回路は測定された作用極電流から、グルコース濃度（血糖値）を演算、決定し、ハウジング２の表面に配置されたＬＣＤ表示部１０に表示される。検査後は、ハウジングに設けたレバー（図示せず）を操作することで検査片８を受け部９から取り出すことができる。
【００３７】
次に、使用者が再び、血糖値を測定しようとする場合には、上記と同様に、カートリッジ３０のレバー３９を移動させることで、新しいランセット１８がキャップ１２の受け部１４内に装着されるとともに、使用済のランセット１８が排出口１９から放出される。
【００３８】
ここで、ランセット１８の軸部２４が押圧ロッド１６によってハウジング内へ引き戻されるために、図１６（ｃ）に示す針先の突出した状態から、図１６（ｂ）に示す針先の引っ込む状態となり、穿刺針１９の針先は一対の延出部２０，２０間に挟まれた状態となる。そのため、比較的安全にランセット１８を廃棄することができる。
【００３９】
次に、ボタン３５を押すことによって、上記したのと同様に、穿刺針１９がキャップ１２の当接面１５から突出し、採血を行うことができる。なお、検査片８およびハウジング２内の分析回路は、公知の方法を採用することができる。
【００４０】
このように、本発明の採血用穿刺器具Ａによれば、ランセット１８をハウジング２の受け部１４内に装着した後、ハウジング２の皮膚当接面１５を患者の指先や耳たぶ等に押し当てた状態を保持しつつ、ボタン３５を押すだけでランセット１８の針先を突出させることができ、血糖値等の体液測定を適正に行うことができる。
（他の実施形態）
図１８〜図２０に示すように、カートリッジを用いることなく、１つのランセット１８を用いて、穿刺操作を行うようにしてもよい。この場合には、ランセット１８の本体に手でつかむための操作片４５が設けられている。
【００４１】
この操作片を４５で指先で持ってキャップ１２の受け部１４内にランセット１８を挿入、配置し、上記したようにボタン３５を押圧することでランセット１８の穿刺針１９が通孔１３を通して皮膚当接面１５から突出し、その後穿刺針１９がキャップ１２内へ没入する。
【００４２】
使用後は、操作片４５を持って引き抜くことにより、ランセット１８を受け部１４から取り外り出すことができる。
（さらに他の実施形態）
図２１〜図２３に示すランセット１８は、金属製の穿刺針１９、および該穿刺針１９の少なくとも先端部を完全に包囲するランセット本体２２を有する。該ランセット本体２２は、軸部２４と該軸部２４の先端から周囲へ延出された円板状の延出部２０とを有する側面視で略Ｔ字形に形成されている。延出部２０の側部に操作片４５が突設されている。
【００４３】
軸部２４内に該穿刺針１９のほぼ全体が埋設され、穿刺針１９の先端部分が延出部２０内に埋設されている。軸部２４は軸方向に長い２つの分割片２８で形成されている。また穿刺針１９は、軸部２４内にスライド可能に埋設されている。図２２に示すように、穿刺針１９の先端と延出部２０の表面との間に薄膜部２０aが形成され、この薄膜部２０aを穿刺針１９は容易に貫通することができる。ランセット１８の軸部２４の基部には係止部２１が形成されている。
【００４４】
キャップ１２の側面にランセット１８を受け入れる受け部１４が形成されている。またキャップ１２の先端面に穿刺針１９を通すための通孔１３が形成されている。
【００４５】
このような構成のランセット１８においては、操作片４５を手で持って、ランセット１８をキャップ１２の受け部１４内に装着し、そして90度回転させることでランセット１８をキャップ１２内に穿刺状態にセットする。次いで、ボタン３５の押圧により駆動機構６を駆動させると押圧ロッド１６が移動して、軸部２４をキャップ１２側へ移動させる。その際、図２３に示すように、ランセット１８の軸部２４（２８）が湾曲すると共に、穿刺針１９が延出部２０の中央を貫通しキャップ１２の通孔１３を通して突出する。
【００４６】
延出部２０は、弾性な部材、例えば樹脂、エラストマーなどで構成することができる。ランセット１８は一体成形により製造することができる。穿刺針１９の少なくとも先端部は、ランセット本体２２に対する穿刺針１９の滑り性を良くするためにシリコンコーティングするのが好ましい。
【００４７】
使用後は、ランセット１８を上記とは逆方向へ９０度回転させた後、受け部１４からランセット１８を取り外し廃棄する。
【産業上の利用可能性】
【００４８】
本発明は、特に血糖値を測定する場合などに使用する複数個のランセットから一個ずつランセットを取り出す構成の採血用穿刺器具およびその穿刺器具に使用されるカートリッジを提供する。
【符号の説明】
【００４９】
２      ハウジング
６      ランセット駆動機構
８      検査片
１８    ランセット
１９    穿刺針
２０    延出部
２１    係止部
２２    ランセット本体
２４    軸部
２５    切欠部
３０    カートリッジ
３１    基台
３７    ケース
【図１】
0006001300.tif 000002
【図２】
0006001300.tif 000003
【図３】
0006001300.tif 000004
【図４】
0006001300.tif 000005
【図５】
0006001300.tif 000006
【図６】
0006001300.tif 000007
【図７】
0006001300.tif 000008
【図８】
0006001300.tif 000009
【図９】
0006001300.tif 000010
【図１０】
0006001300.tif 000011
【図１１】
0006001300.tif 000012
【図１２】
0006001300.tif 000013
【図１３】
0006001300.tif 000014
【図１４】
0006001300.tif 000015
【図１５】
0006001300.tif 000016
【図１６】
0006001300.tif 000017
【図１７】
0006001300.tif 000018
【図１８】
0006001300.tif 000019
【図１９】
0006001300.tif 000020
【図２０】
0006001300.tif 000021
【図２１】
0006001300.tif 000022
【図２２】
0006001300.tif 000023
【図２３】
0006001300.tif 000024